(57)【要約】【課題】軸筒後端の開口部から筆記体を挿入する前に、蓋部が重力で開口部を閉鎖することを十分に回避できる多芯筆記具を提供する。【解決手段】軸筒２内に複数の筆記体６を前後方向に移動可能に収容する。各々の筆記体６の後端に操作体７を連結する。軸筒２の窓孔４１から径方向外方に操作体７を突出させる。操作体７を窓孔４１に沿って前方にスライドさせることにより、筆記体６のペン先６１を軸筒２の前端孔３１から出没させる。軸筒２の後端に、窓孔４１を後方に開口させる開閉自在の開口部４２を設ける。開口部４２を介して筆記体６及び操作体７を交換可能に構成する。軸筒２の後端部に、開口部４２を開閉自在とする蓋部５を設ける。蓋部５の一端部が、ヒンジ部により軸筒２の後端部側壁に回動自在に接続される。開口部４２の開口状態における蓋部５を一時的に固定するロック機構を備える。【選択図】  図５
2010184399.tif 000002
【特許請求の範囲】
【請求項１】
軸筒内に複数の筆記体を前後方向に移動可能に収容し、前記各々の筆記体を弾発体により後方に付勢し、前記各々の筆記体の後端に操作体を連結し、前記軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させてなり、前記軸筒の後端に、窓孔を後方に開口させる開閉自在の開口部を設け、前記開口部を介して筆記体及び操作体を、軸筒内から取り外し可能且つ軸筒内に挿入可能に構成し、前記軸筒の後端部に、前記開口部を開閉自在とする蓋部を設け、前記蓋部の一端部が、ヒンジ部により軸筒の後端部側壁に回動自在に接続された多芯筆記具であって、前記開口部の開口状態における蓋部を一時的に固定するロック機構を備えたことを特徴とする多芯筆記具。
【請求項２】
前記ロック機構が、互いに嵌合可能な嵌合部と被嵌合部とからなり、前記嵌合部を蓋部に設け、前記被嵌合部を軸筒の後端部側壁に設けた請求項１記載の多芯筆記具。
【請求項３】
前記軸筒の後端部側壁に軸受け部を突設し、前記蓋部が、開口部を塞ぐ蓋本体と、該蓋本体に連設され且つ回動軸により前記軸受け部に回動自在に接続される脚片とからなり、前記脚片に前記嵌合部を形成し、前記軸受け部に前記被嵌合部を形成した請求項２記載の多芯筆記具。
【請求項４】
回動軸を囲む脚片の外側面に前記嵌合部を設け、回動軸を囲む軸受け部の内側面に前記被嵌合部を設けた請求項３記載の多芯筆記具。
【発明の詳細な説明】
【技術分野】
【０００１】
本発明は、多芯筆記具に関する。詳細には、軸筒内に複数の筆記体を収容し、前記筆記体を軸筒の後端の開口部より交換可能にした多芯筆記具に関する。
【背景技術】
【０００２】
特許文献１には、軸筒内に複数の筆記体を前後方向に移動可能に収容し、前記各々の筆記体を弾発体により後方に付勢し、前記各々の筆記体の後端に、各々の筆記体に対応した操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させた多芯筆記具であって、軸筒の後端に、窓孔を後方に開口させる開閉自在の開口部を設け、前記開口部を介して筆記体及び操作体を、軸筒内から取り外し可能且つ軸筒内に挿入可能に構成し、前記軸筒の後端部に、前記開口部を開閉自在な蓋部を設け、前記蓋部の一端部が、ヒンジ部により軸筒の後端部側壁に回動自在に接続された構造が開示されている。
【先行技術文献】
【特許文献】
【０００３】
【特許文献１】特開２００７−３８６３５号公報
【発明の概要】
【発明が解決しようとする課題】
【０００４】
前記従来の多芯筆記具は、筆記体を開口部から挿入する前に、蓋部を回動させ、軸筒の後端の開口部を開口させた状態で、蓋部から手を離し、軸筒の後端部を上向きまたは斜め上向きにすると、蓋部が重力で回動し、開口部が蓋部で閉鎖されることがある。その場合、軸筒後端の開口部からの筆記体の挿入が妨げられる。
【０００５】
本発明は、前記従来の問題点を解決するものであって、軸筒後端の開口部から筆記体を挿入する前に、蓋部が重力で開口部を閉鎖することを十分に回避できる多芯筆記具を提供しようとするものである。
尚、本発明において、「前」とはペン先側を指し、「後」とはその反対側を指す。また、本発明において、「上向き」とは、水平方向に対して垂直上方向をいい、「斜め上向き」とは、「上向き」に対して傾斜した方向をいう。
【課題を解決するための手段】
【０００６】
本願の第１の発明は、軸筒２内に複数の筆記体６を前後方向に移動可能に収容し、前記各々の筆記体６を弾発体８により後方に付勢し、前記各々の筆記体６の後端に操作体７を連結し、前記軸筒２の側壁に前後方向に延びる複数の窓孔４１を径方向に貫設し、前記各々の窓孔４１から径方向外方に前記各々の操作体７を突出させ、一つの操作体７を窓孔４１に沿って前方にスライドさせることにより、その一つの操作体７に連結された筆記体６のペン先６１を軸筒２の前端孔３１から突出させるとともに、先に突出状態にあった他の筆記体６のペン先６１を軸筒２内に没入させてなり、前記軸筒２の後端に、窓孔４１を後方に開口させる開閉自在の開口部４２を設け、前記開口部４２を介して筆記体６及び操作体７を、軸筒２内から取り外し可能且つ軸筒２内に挿入可能に構成し、前記軸筒２の後端部に、前記開口部４２を開閉自在とする蓋部５を設け、前記蓋部５の一端部が、ヒンジ部により軸筒２の後端部側壁に回動自在に接続された多芯筆記具であって、前記開口部４２の開口状態における蓋部５を一時的に固定するロック機構を備えたことを要件とする。
【０００７】
前記第１の発明の多芯筆記具１は、前記開口部４２の開口状態で蓋部５を一時的に固定するロック機構を備えたことにより、開口部４２を上向きまたは斜め上向きにしても、蓋部５の回動が一時的に阻止され、開口部４２の開口状態を一時的に維持でき、軸筒２後端の開口部４２から筆記体６を挿入する前に、蓋部５が開口部４２を塞ぐことを十分に回避できる。
【０００８】
本願の第２の発明は、前記第１の発明の多芯筆記具１において、前記ロック機構が、互いに嵌合可能な嵌合部５２ｂと被嵌合部４５ｂとからなり、前記嵌合部５２ｂを蓋部５に設け、前記被嵌合部４５ｂを軸筒２の後端部側壁に設けたことを要件とする。前記第２の発明の多芯筆記具１は、ロック機構を容易に設けることができる。
【０００９】
本願の第３の発明は、前記第２の発明の多芯筆記具１において、前記軸筒２の後端部側壁に軸受け部４５を突設し、前記蓋部５が、開口部４２を塞ぐ蓋本体５１と、該蓋本体５１に連設され且つ回動軸５２ａにより前記軸受け部４５に回動自在に接続される脚片５２とからなり、前記脚片５２に前記嵌合部５２ｂを形成し、前記軸受け部４５に前記被嵌合部４５ｂを形成したことを要件とする。前記第３の発明の多芯筆記具１は、ロック機構を、より一層、容易に設けることができる。
【００１０】
本願の第４の発明は、前記第３の発明の多芯筆記具１において、回動軸５２ａを囲む脚片５２の外側面に前記嵌合部５２ｂを設け、回動軸５２ａを囲む軸受け部４５の内側面に前記被嵌合部４５ｂを設けたことを要件とする。前記第４の発明の多芯筆記具１は、嵌合部５２ｂと披嵌合部４５ｂとが確実に一時的に嵌合するロック機構を、容易に設けることができる。
【発明の効果】
【００１１】
本発明の多芯筆記具によれば、軸筒後端の開口部から筆記体を挿入する前に、蓋部が重力で開口部を閉鎖することを十分に回避できる。
【図面の簡単な説明】
【００１２】
【図１】本発明の実施の形態の全ペン先没入状態の縦断面図である。
【図２】図１の開口部を閉鎖した状態を示す側面図である。
【図３】図２の要部拡大図である。
【図４】図３の平面図である。
【図５】図１の筆記体挿入前における開口部を開口した状態を示す側面図である。
【図６】図５の要部拡大図である。
【図７】図１の筆記体挿入後における開口部の開口した状態を示す側面図である。
【発明を実施するための形態】
【００１３】
図１乃至図７に本発明の実施の形態を示す。
【００１４】
本実施の形態の多芯筆記具１は、軸筒２内に複数本（具体的には２本）の筆記体６が前後方向に移動可能に収容されている。前記各々の筆記体６は、弾発体８（具体的には圧縮コイルスプリング）により後方に付勢されている。尚、本発明において、前記軸筒２内に移動可能に収容する筆記体６の本数は、２本以上であればよく、２本以外にも、３本、４本、５本、６本等であってもよい。
【００１５】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先６１が突出可能な前端孔３１が軸方向に貫設される。前記前軸３及び後軸４は、合成樹脂（例えば、ポリカーボネイト等）の射出成形により得られる。
【００１６】
前記後軸４の後部の側壁には、複数本（具体的には２本）の前後方向に延びる細長状の窓孔４１が、径方向に貫設される。前記２本の窓孔４１は、互いに、軸線に対して対称の位置に形成される。また、前記後軸４の後端部には、軸方向後方に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれ後方に開口されている。一方、前記窓孔４１の前端は常時閉鎖されている。
【００１７】
また、前記後軸４の窓孔４１の相互間の側壁内面には、前後方向に延びるリブよりなる係止壁部が形成され、前記係止壁部に、ペン先６１が突出した際の筆記体６の操作体７の後端が係止される。
【００１８】
前記後軸４の窓孔４１の相互間の側壁外面には、クリップ４３が突設される。前記クリップ４３の基部には、ヒンジ部を構成する軸受け部４５が形成される。
【００１９】
（蓋部）
前記後軸４後端部には、前記開口部４２を開閉自在にする蓋部５が回動自在に設けられる。前記蓋部５は、開口部４２を塞ぐ蓋本体５１と、該蓋本体５１に連設され且つ回動軸５２ａにより前記軸受け部４５に回動自在に接続される２本の脚片５２とからなる。前記蓋部５の脚片５２は、前記ヒンジ部により回動自在に接続される。前記ヒンジ部の回動軸５２ａは、ペン先下向きでクリップ４３を正面視したときのクリップ４３の左右方向に延設され、それにより、前記蓋部５は、略前後方向に回動自在となる。
【００２０】
尚、本実施の形態では、ヒンジ部は、軸受け部４５の左右両側外方に開口する軸受け孔４５ａと、蓋部５の脚片５２の左右両側内方に突出する回動軸５２ａとからなる構成が採用されているが、本発明は、これ以外にも、軸受け部４５の左右両側外方に突出する回動軸と、蓋部５の脚片５２の左右両側内方に開口する軸受け孔とからなる構成でもよい。また、本実施の形態では、前記ヒンジ部５２は、回動軸５２ａにより回動自在に接続される構成が採用されているが、これ以外にも、本発明は、屈曲変形可能な可撓性を有する連結部または薄肉部により一体に接続される構成であってもよい。
【００２１】
前記蓋部５（蓋本体５１）の前面には、当接壁部５３が形成される。前記当接壁部５３に、ペン先没入状態の筆記体６の後端に連結された各々の操作体７の後端が衝止される。
【００２２】
前記蓋部５（蓋本体５１）の他端部の前面には、係合部５４が設けられる（具体的には係合凹部または係合孔部が形成される）。後軸４の後端には、前記係合部５４と係合可能な被係合部４４が設けられる（具体的には係合凸部が突設される）。前記係合部５４（係合凹部または係合孔部）の内面には、内向突起が形成され、一方、前記被係合部４４（係合凸部）の外面には、前記内向突起と乗り越え係止可能な外向突起が形成される。
【００２３】
前記係合部５４と前記被係合部４４は、蓋部５が開口部４２を閉鎖した際、互いに係合状態にあり（具体的には内向突起と外向突起が乗り越え係止状態にあり）、弾発体８の後方への付勢による操作体７と蓋部５前面の当接壁部５３との当接では、その係合状態は解除されず、蓋部５が開くことはない。
【００２４】
また、前記係合部５４と被係合部４４の構成以外にも、前記係合部５４が係合凸部よりなり、前記被係合部４４が係合凹部または係合孔部からなる構成でもよい。
【００２５】
（ロック機構）
回動軸５２ａから径方向外方に離れ且つ回動軸５２ａを包囲する前記脚片５２の外側面には嵌合部５２ｂが設けられる。回動軸５２ａから径方向外方に離れ且つ回動軸５２ａを包囲する前記軸受け部４５の内側面には、被嵌合部４５ｂが形成される。前記嵌合部５２ｂは、本実施の形態では、前記各々の脚片５２の回動軸５２ａを囲む外側面に形成した凸部からなるが、これ以外にも凹部であってもよい。前記被嵌合部４５ｂは、本実施の形態では、前記軸受け部４５の回動軸５２ａを包囲する内側面に形成した、前記凸部が一時的に嵌合可能な凹部からなるが、これ以外にも凸部であってもよい。尚、前記嵌合部５２ｂと被嵌合部４５ｂの嵌合は、例えば、圧入、係合、乗り越え嵌合等が挙げられる。前記嵌合部５２ｂと被嵌合部４５ｂとにより、回動可能な蓋部５を開口部４２の開口状態において一時的に固定するロック機構が構成される。
【００２６】
（筆記体）
前記各々の筆記体６は、例えば、ボールペンレフィル、シャープペンシルレフィル、サインペンレフィル、マーキングペンレフィル等、公知のペン先６１を備えたレフィルが挙げられる。
【００２７】
本実施の形態では、ボールペンレフィルが採用される。前記ボールペンレフィルは、ボールペンチップ（ペン先６１）と、該ボールペンチップを前端に備え且つ内部にインキが収容されたインキ収容管６２とからなる。
【００２８】
（操作体）
前記各々の筆記体６の後端（即ちインキ収容管６２の後端開口部）には、操作体７が取り付けられる。前記各々の操作体７は、後端部に形成され且つ軸筒２の窓孔４１から外部に突出する操作部７１と、該操作部７１の反対側に設けられる前側突出部７２と、該操作部７１の反対側の前側突出部７２の後方に設けられる後側突出部７３と、前端部に形成され且つインキ収容管６２の後端開口部に嵌入される嵌入部７４と、該嵌入部７４の後方に形成される鍔部７５とを備える。前記鍔部７５の前面には、弾発体８の後端が係止される。
【００２９】
筆記体６のペン先６１が没入状態のとき、その筆記体６に取り付けられた操作体７の後端部は、蓋部５の前面に形成された当接壁部５３に衝止される。一方、筆記体６のペン先６１が突出状態のとき、その筆記体６に取り付けられた操作体７の後端部は、軸筒２の内壁に形成された係止壁部に係止される。
【００３０】
ペン先没入状態にある筆記体６の後端に連結された操作体７の前側突出部７２は、その操作体７の操作部７１を前方にスライド操作した際、先に突出状態にある他の筆記体６の後端に連結された操作体７の後側突出部７３と当接され、他の筆記体６のペン先突出状態が解除される。
【００３１】
（弾発体支持部）
軸筒２の内壁（即ち後軸４の内壁）には、円筒状の弾発体支持部９が設けられる。前記弾発体支持部９は、筆記体６が挿通される複数（具体的には２個）の内孔９１が軸方向に貫設されている。前記弾発体支持部９の後面と、各々の操作体７の鍔部７５の前面との間には、弾発体８が配置される。前記各々の弾発体８の内部に筆記体６が遊挿されるとともに、各々の弾発体８の前端は弾発体支持部９の後面により係止され、各々の弾発体８の後端は操作体７の鍔部７５の前面に係止される。
【００３２】
前記各々の弾発体８は、各々の操作体７（即ち各々の筆記体６）を、常時、後方に付勢している。前記各々の弾発体８は、ペン先突出状態及びペン先没入状態のいずれにおいても圧縮状態（即ち筆記体６が後方に付勢された状態）にあり、それにより、各々の操作体７の前後のがたつきが防止される。
【００３３】
（ペン先の出没）
本実施の形態におけるペン先６１の出没作動について説明する。
一つの操作体７の操作部７１を弾発体８の後方付勢に抗して窓孔４１に沿って前方にスライド操作すると、そのスライド操作された操作体７の前側突出部７２が、先に突出状態にある他の筆記体６の操作部７１の後側突出部７３を径方向外方に持ち上げる。それにより、軸筒２内壁の係止壁部と操作体７との係止状態が解除され、他の筆記体６が弾発体８の後方付勢により後方に移動され、他の筆記体６のペン先６１が軸筒２内に没入され、他の筆記体６の操作部７１の後端が蓋部５の前面の当接壁部５３に当接衝止される。前記他の筆記体６のペン先６１の没入と同時に、前記前方にスライド操作した操作体７に連結された筆記体６のペン先６１が、軸筒２の前端孔３１より外部に突出されるとともに、前方にスライド操作された操作体７の後端が軸筒２内壁の係止壁部に係止され、そのペン先突出状態が維持される。
【００３４】
（筆記体及び操作体の交換）
本実施の形態における筆記体６及び操作体７の交換について説明する。
筆記体６を交換する際、蓋部５が軸筒２の後端の開口部４２を閉鎖した状態（図１乃至図４参照）から、蓋部５のヒンジ部と反対側の操作端部を後方に押圧し、係合部５４と被係合部４４との係合を解除し、蓋部５を後方に回動させ、軸筒２の後端の開口部４２を開口する。前記開口部４２を開口させると、前記開口部４２から各々の操作体７が、弾発体８の後方付勢により後方外部に突出される（図７参照）。前記軸筒２の後端の開口部４２が開口した状態で、操作体７を取り出すことにより、その操作体７と互いに連結状態にある筆記体６を前記開口部４２を介して軸筒２内から取り出し、その後、互いに連結状態にある新たな筆記体６と新たな操作体７とを前記開口部４２を介して軸筒２内に挿入する。そして、蓋部５の当接壁部５３に各々の操作体７を当接させ、各々の操作体７を前方に押圧しながら蓋部５を前方に回動させ、その後、係合部５４と被係止部とを係合させ、開口部４２を閉鎖する。これにより、筆記体６及び操作体７の交換作業が終了する。
【００３５】
（ロック機構の作用）
本実施の形態のロック機構の作用について説明する。
開口部４２を開口させた状態において、脚片５２の嵌合部５２ｂと軸受け部４５の被嵌合部４５ｂとが嵌合され、開口部４２の開口状態における蓋部５と軸受け部４５とが一時的に固定され、蓋部５の回動が一時的に阻止される（図５及び図６参照）。それにより、筆記体６を開口部４２から挿入する前に、蓋部５を回動させ、軸筒２後端の開口部４２を開口させた状態で、蓋部５から手を離し、軸筒２後端部を上向きまたは斜め上向きにしても、蓋部５が重力で回動して開口部４２が蓋部５で閉鎖されることを十分に回避できる。
【符号の説明】
【００３６】
１  多芯筆記具
２  軸筒
３  前軸
３１  前端孔
４  後軸
４１  窓孔
４２  開口部
４３  クリップ
４４  被係合部
４５  軸受け部
４５ａ  軸受け孔
４５ｂ  被嵌合部
５  蓋部
５１  蓋本体
５２  脚片
５２ａ  回動軸
５２ｂ  嵌合部
５３  当接壁部
５４  係合部
６  筆記体
６１  ペン先
６２  インキ収容管
７  操作体
７１  操作部
７２  前側突出部
７３  後側突出部
７４  嵌入部
７５  鍔部
８  弾発体
９  弾発体支持部
９１  内孔
【図１】
2010184399.tif 000003
【図２】
2010184399.tif 000004
【図３】
2010184399.tif 000005
【図４】
2010184399.tif 000006
【図５】
2010184399.tif 000007
【図６】
2010184399.tif 000008
【図７】
2010184399.tif 000009